(57)【要約】      （修正有）【課題】異臭がなく、耐温度性に優れ、着色性も高い水枕又は湯たんぽを提供する。【解決手段】角部１ａをアール形状に形成した表層と裏層と突設した開口部２とから成る袋体の水枕１又は湯たんぽにおいて、水枕１又は湯たんぽをシリコンゴムで形成する。開口部２を突設させた一辺の巾Ｈの長さに対して、開口部の巾ｈの長さを１／２．７以上とし、表層又は裏層に磁石及び／又は遠赤外線放射材７を埋設し、多数の直線状の立設リブを相互にクロスする格子状に、また、多数の独立した環状の立設リブを配設したものであり、更には、中央辺に頭乗載部を設けたものである。【選択図】図２
0003154136.tif 000002
【実用新案登録請求の範囲】
【請求項１】
角部をアール形状に形成した略矩形状の表層と裏層と突設した開口部とから成る袋体の水枕又は湯たんぽにおいて、前記水枕又は湯たんぽをシリコンゴムで形成したことを特徴とするシリコンゴム製の水枕又は湯たんぽ。
【請求項２】
前記水枕又は湯たんぽの開口部を突設させた一辺の巾の長さに対して、開口部の巾の長さを１／２．７以上とすることを特徴とする請求項１に記載のシリコンゴム製の水枕又は湯たんぽ。
【請求項３】
前記水枕又は湯たんぽの表層又は裏層の周辺に任意巾を有した内側に磁石及び／又は遠赤外線放射材の全部又は大部分を埋設したことを特徴とする請求項１又は２に記載のシリコンゴム製の水枕又は湯たんぽ。
【請求項４】
前記水枕又は湯たんぽの表層又は裏層の周辺に任意巾を有した内側に多数の直線状の立設リブを相互にクロスする格子状に配設したことを特徴とする請求項１〜３のいずれかに記載のシリコンゴム製の水枕又は湯たんぽ。
【請求項５】
前記水枕又は湯たんぽの表層又は裏層の周辺に任意巾を有した内側に多数の独立した環状の立設リブを配設したことを特徴とする請求項１〜３のいずれかに記載のシリコンゴム製の水枕又は湯たんぽ。
【請求項６】
前記水枕又は湯たんぽの表層又は裏層の中央辺に略円形状の直線状又は環状の立設リブを配設しない頭乗載部を設けたことを特徴とする請求項４又は５に記載のシリコンゴム製の水枕又は湯たんぽ。
【考案の詳細な説明】
【技術分野】
【０００１】
本考案はシリコンゴム製の水枕又は湯たんぽに関するものであり、更に詳細には、無臭性で軽量で且つカラフルな着色が可能なシリコンゴム製の水枕又は湯たんぽに関するものである。
【背景技術】
【０００２】
従来、水枕は天然ゴムを用いた物が多いが、天然ゴムは独特の匂いを発するもので敬遠され気味で、また、着色が困難なため赤茶色（ベンガラ色）の一辺倒のものであり、更には、充填剤を加えることにより重量も重く水を充填すると更に重量を増すものであり、また、湯たんぽは同じように天然ゴムを用いたものや、金属で形成されたものがある。
【０００３】
例えば、先に開示された、冷却パッド１０を柔軟な合成樹脂製で形成された袋体１２内に水とアルコールとからなる蓄冷材を密閉して収納した。アルコールはエチルアルコールとし、水に対して１０％から１５％含有させ、さらに、袋体１２をシリコン樹脂で形成し、蓄冷材３０を出し入れする開口部１１を設けるとともに、この開口部１１を密閉する蓋部材２０を備えたもの（特許文献１参照）や、グリップカイロ１０は、加温可能なゲル状の蓄熱材と、この蓄熱材を間隙４を有して封入する円筒状容器６と、ヒータを中央にて蓄熱材２中に延在して有し、円筒状容器６の上端を密閉する縁部を有する円筒状の筐体と、この筐体に絶縁シートを介して設けられたバッテリーと、バッテリーを押圧して筐体１４の縁部に挿嵌され、棒状ヒータ８の加熱温度を制御する温度調節回路とヒータスイッチ２８と温度調節ツマミとが実装された回路基板と、筐体の縁部の外側に嵌合されたキャップ２２と、キャップ２２及び円筒状容器６の一体的側面を覆い、握り部分に応じた凹部２４を有するシリコンラバー２６とを備えているもの（特許文献２参照）や、立設リブを有するものとしては、軟質性水枕本体ａの内壁面５に、その内壁面５の長さ方向に直交する断面半円形状の突条６…を並設して内壁面波形状に形成するもの（特許文献３参照）が開示されている。
【特許文献１】実用新案登録第３０９３７０４号公報
【特許文献２】実用新案登録第３１２２５５８号公報
【特許文献３】実開平７−１５０１６号公報
【考案の開示】
【考案が解決しようとする課題】
【０００４】
然し乍ら、特許文献１は、冷却パッド１０を柔軟な合成樹脂製で形成された袋体１２に水とアルコールとからなる蓄冷材を密閉して収納したもので、袋体１２をシリコン樹脂で形成したものであるが、冷却パッドであり上方から吊り下げて用いるもので、水枕や湯たんぽのように上方からの頭や足による荷重はかからないもので極薄いシート状のもので構わなく、更に、特許文献２においては、握り部分に応じた凹部２４を有するシリコンラバー２６とを備えているものであり、握って掌を温めるもので温熱器として複雑な構造を有するものであり、更には、特許文献３においては、断面半円形状の突条６…を並設した水枕であるが、ゴムで形成されており、上方から頭部や足による圧力がかかると突条６…が倒れてクッション効果が低いものであり、また、天然ゴムはアレルギー症状が表れることもあり、更に、高温には弱いため湯たんぽとして用いるには不向きなものである。
【課題を解決するための手段】
【０００５】
本考案のシリコンゴム製の水枕又は湯たんぽは、前述課題に鑑み、鋭意研鑽の結果、角部をアール形状に形成した略矩形状の表層と裏層と突設した開口部とから成る袋体の水枕又は湯たんぽにおいて、水枕又は湯たんぽをシリコンゴムで形成したものであり、更に、水枕又は湯たんぽの開口部を突設させた一辺の巾の長さに対して、開口部の巾の長さを１／２．７以上とするものであり、更には、水枕又は湯たんぽの表層又は裏層の周辺に任意巾を有した内側に磁石及び／又は遠赤外線放射材の全部又は大部分を埋設したものであり、加えて、水枕又は湯たんぽの表層又は裏層の周辺に任意巾を有した内側に多数の直線状の立設リブを相互にクロスする格子状に、また、多数の独立した環状の立設リブを配設したものであり、更には、水枕又は湯たんぽの表層又は裏層の中央辺に略円形状の直線状又は環状の立設リブを配設しない頭乗載部を設けたものである。
【考案の効果】
【０００６】
本考案のシリコンゴム製の水枕又は湯たんぽは、シリコンゴムで形成されているために異臭もなく、高温や低温に対する耐温度性にも強く、着色性も高いのでカラフルな水枕又は湯たんぽを作成することができ、更には、磁石及び／又は遠赤外線放射材の全部又は大部分を埋設したことにより、指圧効果や血行促進効果を有するもので、更に、多数の直線状の立設リブを相互にクロスするように格子状に配設、又は、多数の独立した環状の立設リブを配設したもので、上方から荷重をかけてもクッション性を保持できると共に直接水枕又は湯たんぽの表面と身体が接触しないためソフトな感覚で使用できるもので、極めて画期的な考案である。
【考案を実施するための最良の形態】
【０００７】
以下、本考案のシリコンゴム製の水枕又は湯たんぽの実施の形態を図面によって具体的に説明するが、冷水や氷を充填することにより水枕になり、温水を充填することで湯たんぽに使用できる同一構造のもので、図１は従来から汎用されている水枕の斜視図であり、図２は本考案のシリコンゴム製の水枕の実施例の斜視図であり、図３は本考案のシリコンゴム製の水枕の次実施例の斜視図であり、図４は本考案のシリコンゴム製の水枕の（Ａ）は水枕の格子状の立設リブを備えた実施例の斜視図で（Ｂ）は矢視するＡ−Ａ線断面図であり、図５は本考案のシリコンゴム製の水枕の（Ａ）は独立した立設リブを設けた実施例の斜視図で（Ｂ）は矢視するＡ−Ａ線の断面斜視図であり、図６は本考案のシリコンゴム製の水枕の頭乗載部を設けた実施例の斜視図であり、図７は本考案のシリコンゴム製の水枕の磁石．遠赤外線放射材を埋設させたた実施例の斜視図である。
【０００８】
本考案はシリコンゴム製の水枕又は湯たんぽに関するものであり、更に詳細には、無臭性で軽量で且つカラフルな着色が可能なシリコンゴム製の水枕又は湯たんぽに関するものであり、請求項１に記載のシリコンゴム製の水枕又は湯たんぽは、角部１ａをアール形状に形成した略矩形状の表層と裏層と突設した開口部２とから成る袋体の水枕１又は湯たんぽにおいて、前記水枕１又は湯たんぽをシリコンゴムで形成したことを特徴とするものである。
【０００９】
更に、請求項２に記載のシリコンゴム製の水枕又は湯たんぽは、請求項１に記載のシリコンゴム製の水枕又は湯たんぽにおいて、前記水枕１又は湯たんぽの開口部２を突設させた一辺の巾Ｈの長さに対して、開口部２の巾ｈの長さを１／２．７以上とすることを特徴とするものである。
【００１０】
更には、請求項３に記載のシリコンゴム製の水枕又は湯たんぽは、請求項１又は２に記載のシリコンゴム製の水枕又は湯たんぽにおいて、前記水枕１又は湯たんぽの表層又は裏層の周辺に任意巾を有した内側に磁石及び／又は遠赤外線放射材７の全部又は大部分を埋設したことを特徴とするものである。
【００１１】
加えて、請求項４に記載のシリコンゴム製の水枕又は湯たんぽは、請求項１〜３のいずれかに記載のシリコンゴム製の水枕又は湯たんぽにおいて、前記水枕１又は湯たんぽの表層又は裏層の周辺に任意巾を有した内側に多数の直線状の立設リブ３を相互にクロスする格子状に配設したことを特徴とするものである。
【００１２】
また、請求項５に記載のシリコンゴム製の水枕又は湯たんぽは、請求項１〜３のいずれかに記載のシリコンゴム製の水枕又は湯たんぽにおいて、前記水枕１又は湯たんぽの表層又は裏層の周辺に任意巾を有した内側に多数の独立した環状の立設リブ４を配設したことを特徴とするものである。
【００１３】
そして、請求項６に記載のシリコンゴム製の水枕又は湯たんぽは、請求項４又は５に記載のシリコンゴム製の水枕又は湯たんぽにおいて、前記水枕１又は湯たんぽの表層又は裏層の中央辺に略円形状の直線状又は環状の立設リブ３．４を配設しない頭乗載部５を設けたことを特徴とするものである。
【実施例】
【００１４】
即ち、本考案のシリコンゴム製の水枕１は、水や氷を入れて発熱時や夏期に頭部の熱を下げるために枕として用いるもので、又、湯たんぽはお湯を入れて布団の中に入れ、冬季などに足を温める周知のもので、どちらにでも転用できるものであり、以下の詳述は水枕１でするものである。
【００１５】
そして、袋体である水枕１は、表層と裏層と一側辺を外に拡がる傾斜状に突出させクリップで閉口するか、内側に凹凸状に嵌合して閉口するファスナーやネジで栓をするソケット型栓を設けた開口部２を備えると共に、夫々の角部１ａをアール形状に形成した略矩形状のもので、中子と金型の間の空間にシリコンゴムを圧送することにより成型し、中子を開口部２から無理抜きするものである。
【００１６】
次に、射出成型はシリコンゴムを用いるもので、従来から用いられていた天然ゴムは伸縮性が優れており、引き裂け強度も高いもので多少開口部の巾が短くても中子を無理抜きできたが、本考案は後述する開口部２の巾ｈの長さに形成したことにより、 伸縮性や引き裂け強度が劣るシリコンゴムでも成型を可能としたものである。
【００１７】
更に、図２に図示するように、水枕１の開口部２を突設させた一辺の巾の長さＨに対して、開口部２の巾ｈの長さを１／２．７以上としたもので、この比率は引き裂き強度と安定的な使用強度、及び、成型時の歩留まりを考慮した値であり、１／２．５以上が理想的な値であり、このサイズにすることによりシリコンゴムでも成型による中子を無理抜きしても亀裂は生じないもので、従来の天然ゴムの場合は、図１に図示するように、開口部２を突設させた一辺の巾Ｈの長さに対して、開口部２の巾ｈの長さを１／３程度でも無理抜きが可能なものである。
【００１８】
また、図３に図示するものは、略矩形状の水枕１の長手方向の一辺に開口部２を突設させたものであるが、該一辺の巾の長さＨに対して、開口部２の巾ｈの長さを１／２．７以上としたものである。
【００１９】
そして、図７に図示するように、水枕又は湯たんぽの表層又は裏層の周辺に任意巾を有した内側に磁石及び／又は遠赤外線放射材７の全部又は大部分を埋設したものであり、周知のように、磁石や遠赤外線放射材７は指圧効果や血行促進効果を有しているもので、首筋部に沿って並べたり、ツボ部に配設するものであり、また、遠赤外線放射材はセラミックス等であり、更に、これらを粒子状にしてシリコンゴムに練り込み成型も可能なものである。
【００２０】
つまり、遠赤外線放射材であるセラミックスは、身体から発散される熱を吸収して遠赤外線を放射して保温特性を有するばかりでなく、よく眠れる、痛みが取れる、イビキが止まる等の身体症状を改善し、健康を増進させる作用を有すると共に、消臭作用や殺菌作用も有するものである。
【００２１】
更に、水枕１の表層又は裏層の何れかに、周辺に任意巾のスペースを有した内側に多数の直線状の立設リブ３を相互にクロスする格子状に配設したもので、図４に図示したものは、直線状の立設リブ３を水枕１に対して斜め方向にクロスさせて格子状に配設したものであるが、直線状の立設リブ３を水枕１に対して平行方向に、つまり、縦横にクロスさせて格子状に配設しても構わないのである。
【００２２】
更には、図５に図示するように、水枕１の表層又は裏層の何れかに、周辺に任意巾のスペースを有した内側に多数の独立した環状に立設リブ４を配設したもので、図示するものは、略矩形状であるが、円形でも六角形でも構わないものである。
【００２３】
尚、立設リブ３．４は肉厚が０．５ｍｍ〜１ｍｍ、高さが３ｍｍ程度で、直線状の立設リブ３がクロスするピッチ、又は、環状の立設リブ４の径は５ｍｍ〜１０ｍｍ程度が好適なもので、つまり、格子状に又は独立した環状に、立設リブ３．４を形成したことにより、クッション性と、直接、水枕１の表面に接触しないので穏やかな冷たさが伝わると共に、結露を押さえるもので、これらのリブは表層又は裏層の片面でも両面でも構わないもので、また、片面に立設リブ３．４を配設し、反対面に磁石及び／又は遠赤外線放射材７を配設しても良いものである。
【００２４】
また、頭乗載部５は、図６に図示するように、水枕１の表層又は裏層の中央辺に略円形状の直線状又は環状の立設リブを配設しないことで設けたものであり、安定的に水枕１の中心辺に頭を乗せ易くしたものである。
【産業上の利用可能性】
【００２５】
本考案は、シリコンゴムで形成されているために異臭もなく、高温や低温に対する耐温度も備え、着色性も高いのでカラフルな水枕又は湯たんぽを作成することができ、更に、多数の直線状の立設リブを相互にクロスするように格子状に配設、又は、多数の独立した環状の立設リブを配設したもので、上方から荷重をかけてもクッション性を保持できると共に直接水枕又は湯たんぽの表面と身体が接触しないためソフトな感覚で使用できるシリコンゴム製の水枕又は湯たんぽ提供するものである。
【図面の簡単な説明】
【００２６】
【図１】図１は従来から汎用されている水枕の斜視図である。
【図２】図２は本考案のシリコンゴム製の水枕の実施例の斜視図である。
【図３】図３は本考案のシリコンゴム製の水枕の次実施例の斜視図である。
【図４】図４は本考案のシリコンゴム製の水枕の（Ａ）は水枕の格子状の立設リブを備えた実施例の斜視図で（Ｂ）は矢視するＡ−Ａ線断面図である。
【図５】図５は本考案のシリコンゴム製の水枕の（Ａ）は独立した立設リブを設けた実施例の斜視図で（Ｂ）は矢視するＡ−Ａ線の断面斜視図である。
【図６】図６は本考案のシリコンゴム製の水枕の頭乗載部を設けた実施例の斜視図である。
【図７】図７は本考案のシリコンゴム製の水枕の磁石．遠赤外線放射材を埋設させたた実施例の斜視図である。
【符号の説明】
【００２７】
１      水枕
１ａ    角部
２      開口部
３      直線状の立設リブ
４      環状の立設リブ
５      頭乗載部
７      磁石・遠赤外線放射材
Ｈ      開口部を突設させた一辺の巾
ｈ      開口部の巾
【図１】
0003154136.tif 000003
【図２】
0003154136.tif 000004
【図３】
0003154136.tif 000005
【図４】
0003154136.tif 000006
【図５】
0003154136.tif 000007
【図６】
0003154136.tif 000008
【図７】
0003154136.tif 000009